【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
電子メールを他の端末に対し送信する機能と、受信する機能との少なくともいずれか一方の機能を持つ通信制御手段と、前記他の端末と電子メール通信とは別に呼接続通信を行う呼制御手段と、電子メールの通信を行う際に、前記呼制御手段により前記他の端末との呼接続を確立してから前記通信制御手段により電子メールの通信を行い、前記電子メールの通信の終了後に前記呼接続を切断するように制御する制御手段とを備えたことを特徴とするＩＰ通信装置。
【請求項２】
原稿を読み取り原稿データを生成する原稿入力手段を備え、前記通信制御手段は、前記読み取った原稿データを電子メールとして前記他の端末に送信することを特徴とする請求項１記載のＩＰ通信装置。
【請求項３】
前記呼制御手段により前記他の端末との呼接続が確立しないとき、電子メールの送信を行わないことを特徴とする請求項１または請求項２記載のＩＰ通信装置。
【請求項４】
電子メールデータを前記他の端末が受信可能な形態に変換するデータ変換手段を具備し、前記呼制御手段による前記他の端末との呼接続の確立中に、送信可能な電子メールの送信条件を前記他の端末に送信し、前記他の端末から前記他の端末の受信可能な電子メールの受信条件を受信し、前記データ変換手段により前記受信した受信条件に合わせて電子メールデータを変換し、前記通信制御手段により前記変換した電子メールデータを前記他の端末に送信することを特徴とする請求項１から請求項３のいずれかに記載のＩＰ通信装置。
【請求項５】
ランダムな文字列からなる使い捨て電子メールアドレスを生成するメールアドレス生成手段と、電子メールを受信したときの宛先メールアドレスと前記生成した使い捨て電子メールアドレスとを照合するアドレス照合手段とを具備し、前記呼制御手段による前記他の端末との呼接続の確立中に、前記生成したメールアドレスを前記他の端末に送信し、前記通信制御手段により前記他の端末から電子メールを受信する際、受信する電子メールの宛先メールアドレスと前記生成した使い捨てメールアドレスとが一致することが前記アドレス照合手段により確認されたとき、当該電子メールデータを受信することを特徴とする請求項１から請求項４のいずれかに記載のＩＰ通信装置。
【請求項６】
前記呼制御手段による前記他の端末との呼接続の確立中に、前記他の端末から前記他の端末が生成した使い捨て電子メールアドレスを受信し、前記通信制御手段により前記他の端末に電子メールを送信する際、前記受信した使い捨て電子メールアドレスを宛先メールアドレスとして電子メールを送信することを特徴とする請求項１から請求項５のいずれかに記載のＩＰ通信装置。
【請求項７】
電子メールを受信したときの送信元メールアドレスと使い捨て電子メールアドレスとを照合するアドレス照合手段を具備し、前記呼制御手段による前記他の端末との呼接続の確立中に、前記他の端末から使い捨て電子メールアドレスを受信し、前記通信制御手段により前記他の端末から電子メールを受信する際、受信する電子メールの送信元メールアドレスと前記使い捨てメールアドレスとが一致することが前記アドレス照合手段により確認されたとき、当該電子メールデータを受信することを特徴とする請求項１から請求項４のいずれかに記載のＩＰ通信装置。
【請求項８】
前記メールアドレス生成手段は、使い捨て電子メールアドレスを電子メールの送信毎に新しく生成することを特徴とする請求項５記載のＩＰ通信装置。
【請求項９】
他の端末との通話を制御する音声制御手段を具備し、電子メールの通信を行う際に、前記呼制御手段により前記他の端末との呼接続を確立したとき前記音声制御手段による通話が開始され、前記他の端末が電子メールを受信した後に前記他の端末との呼接続を切断するとき前記音声制御手段による通話を終了することを特徴とする請求項１記載のＩＰ通信装置。
【請求項１０】
他の端末と電子メールの通信を行う際に、前記他の端末と電子メールの通信とは別に呼接続を確立してから電子メールの通信を行い、前記電子メールの通信の終了後に前記呼接続を切断することを特徴とするＩＰ通信方法。
【請求項１１】
前記他の端末との呼接続の確立中に、送信可能な電子メールの送信条件を前記他の端末に送信し、前記他の端末から前記他の端末の受信可能な電子メールの受信条件を受信し、前記受信した受信条件に合わせて電子メールデータを変換し、前記変換した電子メールデータを前記他の端末に送信することを特徴とする請求項１０記載のＩＰ通信方法。
【請求項１２】
ランダムな文字列からなる使い捨て電子メールアドレスを生成し、前記他の端末との呼接続の確立中に、前記生成したメールアドレスを前記他の端末に送信し、前記他の端末から電子メールを受信する際、受信する電子メールの宛先メールアドレスと前記生成した使い捨てメールアドレスとが一致したとき、当該電子メールデータを受信することを特徴とする請求項１０または請求項１１記載のＩＰ通信方法。
【手続補正２】
【補正対象書類名】明細書
【補正対象項目名】０００６
【補正方法】変更
【補正の内容】
【０００６】
上記課題を解決するために本発明は、電子メールを他の端末に対し送信する機能と、受信する機能との少なくともいずれか一方の機能を持つ通信制御手段と、前記他の端末と電子メール通信とは別に呼接続通信を行う呼制御手段と、電子メールの通信を行う際に、前記呼制御手段により前記他の端末との呼接続を確立してから前記通信制御手段により電子メールの通信を行い、前記電子メールの通信の終了後に前記呼接続を切断するように制御する制御手段とを備えたことを特徴とする。
【手続補正３】
【補正対象書類名】明細書
【補正対象項目名】０００８
【補正方法】変更
【補正の内容】
【０００８】
本発明は、電子メールを他の端末に対し送信する機能と、受信する機能との少なくともいずれか一方の機能を持つ通信制御手段と、前記他の端末と電子メール通信とは別に呼接続通信を行う呼制御手段、電子メールの通信を行う際に、前記呼制御手段により前記他の端末との呼接続を確立してから前記通信制御手段により電子メールの通信を行い、前記電子メールの通信の終了後に前記呼接続を切断するように制御する制御手段とを備えたことを特徴とする。
【手続補正４】
【補正対象書類名】明細書
【補正対象項目名】００１２
【補正方法】変更
【補正の内容】
【００１２】
さらに、ランダムな文字列からなる使い捨て電子メールアドレスを生成するメールアドレス生成手段と、電子メールを受信したときの宛先メールアドレスと前記生成した使い捨て電子メールアドレスとを照合するアドレス照合手段とを具備し、前記呼制御手段による前記他の端末との呼接続の確立中に、前記生成したメールアドレスを前記他の端末に送信し、前記通信制御手段により前記他の端末から電子メールを受信する際、受信する電子メールの宛先メールアドレスと前記生成した使い捨てメールアドレスとが一致することが前記アドレス照合手段により確認されたとき、当該電子メールデータを受信することを特徴とする。
【手続補正５】
【補正対象書類名】明細書
【補正対象項目名】００１４
【補正方法】変更
【補正の内容】
【００１４】
また、電子メールを受信したときの送信元メールアドレスと使い捨て電子メールアドレスとを照合するアドレス照合手段を具備し、前記呼制御手段による前記他の端末との呼接続の確立中に、前記他の端末から使い捨て電子メールアドレスを受信し、前記通信制御手段により前記他の端末から電子メールを受信する際、受信する電子メールの送信元メールアドレスと前記使い捨てメールアドレスとが一致することが前記アドレス照合手段により確認されたとき、当該電子メールデータを受信することを特徴とする。
【手続補正６】
【補正対象書類名】明細書
【補正対象項目名】００１６
【補正方法】変更
【補正の内容】
【００１６】
また、他の端末との通話を制御する音声制御手段を具備し、電子メールの通信を行う際に、前記呼制御手段により前記他の端末との呼接続を確立したとき前記音声制御手段による通話が開始され、前記他の端末が電子メールを受信した後に前記他の端末との呼接続を切断するとき前記音声制御手段による通話を終了することを特徴とする。
【手続補正７】
【補正対象書類名】明細書
【補正対象項目名】００１７
【補正方法】変更
【補正の内容】
【００１７】
また、他の端末と電子メールの通信を行う際に、前記他の端末と電子メールの通信とは別に呼接続を確立してから電子メールの通信を行い、前記電子メールの通信の終了後に前記呼接続を切断する方法である。
【手続補正８】
【補正対象書類名】明細書
【補正対象項目名】００１９
【補正方法】変更
【補正の内容】
【００１９】
さらに、ランダムな文字列からなる使い捨て電子メールアドレスを生成し、前記他の端末との呼接続の確立中に、前記生成したメールアドレスを前記他の端末に送信し、前記他の端末から電子メールを受信する際、受信する電子メールの宛先メールアドレスと前記生成した使い捨てメールアドレスとが一致したとき、当該電子メールデータを受信することを特徴とする方法である。